【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
周波数信号に対応した電圧を出力する圧電トランスと、
前記周波数信号を発生する発生部と、
前記圧電トランスから出力される電圧を降下させ、降下した電圧を出力する電圧降下部と、を有することを特徴とする高圧電源装置。
【請求項２】
前記電圧降下部は、前記圧電トランスにおいて発生するスプリアス周波数における電圧を低減する定電圧素子であることを特徴とする請求項１に記載の高圧電源装置。
【請求項３】
前記定電圧素子がバリスタであることを特徴とする請求項２に記載の高圧電源装置。
【請求項４】
前記定電圧素子がツェナーダイオードであることを特徴とする請求項２に記載の高圧電源装置。
【請求項５】
前記定電圧素子がバリスタであり、さらに前記バリスタに対して抵抗を並列に接続することを特徴とする請求項２に記載の高圧電源装置。
【請求項６】
前記定電圧素子がツェナーダイオードであり、さらに前記ツェナーダイオードに対して抵抗を並列に接続することを特徴とする請求項２に記載の高圧電源装置。
【請求項７】
前記電圧降下部から出力される電圧を検知する電圧検知部をさらに備え、前記電圧検知部の検知結果をフィードバックして、前記発生部からの前記周波数信号の周波数を制御することを特徴とする請求項１ないし６のいずれか１項に記載の高圧電源装置。
【請求項８】
制御信号に対応した周波数となるように出力信号の周波数を制御する発振器と、
前記発振器の出力信号により駆動されるスイッチング部と、前記スイッチング部により駆動されることにより電圧を出力する圧電トランスと、
前記圧電トランスから出力される電圧を降下させ、降下した電圧を出力する電圧降下部と、を有することを特徴とする高圧電源装置。
【請求項９】
画像を形成する画像形成部を有する画像形成装置において、
前記画像形成部に電圧を供給する高圧電源、を有し
前記高圧電源は、
周波数信号に対応した電圧を出力する圧電トランスと、
前記周波数信号を発生する発生部と、
前記圧電トランスから出力される電圧を降下させ、降下した電圧を出力する電圧降下部と、を有することを特徴とする画像形成装置。
【請求項１０】
前記電圧降下部は、前記圧電トランスにおいて発生するスプリアス周波数における電圧を低減する定電圧素子であることを特徴とする請求項９に記載の画像形成装置。
【請求項１１】
前記定電圧素子がバリスタであることを特徴とする請求項１０に記載の画像形成装置。
【請求項１２】
前記定電圧素子がツェナーダイオードであることを特徴とする請求項１０に記載の画像形成装置。
【請求項１３】
前記定電圧素子がバリスタであり、さらに前記バリスタに対して抵抗を並列に接続することを特徴とする請求項１０に記載の画像形成装置。
【請求項１４】
前記定電圧素子がツェナーダイオードであり、さらに前記ツェナーダイオードに対して抵抗を並列に接続することを特徴とする請求項１０に記載の画像形成装置。
【請求項１５】
前記電圧降下部から出力される電圧を検知する電圧検知部をさらに備え、前記電圧検知部の検知結果をフィードバックして、前記発生部からの前記周波数信号の周波数を制御することを特徴とする請求項９ないし１４のいずれか１項に記載の画像形成装置。
【請求項１６】
前記画像形成部は、
像坦持体と、
前記像坦持体に形成された静電潜像を現像してトナー像を形成する現像ユニットと、
前記トナー像を記録材に転写する転写ユニットと、を有し、
前記高圧電源は、前記転写ユニットに高電圧を印加することを特徴とする請求項９ないし１５のいずれか１項に記載の画像形成装置。
【請求項１７】
周波数信号に対応した電圧を出力する圧電トランスと、
前記周波数信号を発生する発生部と、
前記圧電トランスから出力される最大出力電圧に対応した共振周波数とは異なるスプリアス周波数に対応した出力電圧を低減するように、前記圧電トランスから出力された電圧を降下させて、降下した電圧を出力する電圧降下部と、
を有することを特徴とする高圧電源装置。
【請求項１８】
前記電圧降下部から出力された電圧を検知する電圧検知部を有し、
前記電圧検知部の検知結果をフィードバックして、前記発生器からの周波数信号の周波数を制御することを特徴とする請求項１７に記載の高圧電源装置。
【手続補正２】
【補正対象書類名】明細書
【補正対象項目名】０００８
【補正方法】変更
【補正の内容】
【０００８】
本発明は、周波数信号に対応した電圧を出力する圧電トランスと、
前記周波数信号を発生する発生部と、
前記圧電トランスから出力される電圧を降下させ、降下した電圧を出力する電圧降下部と、を有することを特徴とする高圧電源装置を提供する。
【手続補正３】
【補正対象書類名】明細書
【補正対象項目名】０００９
【補正方法】変更
【補正の内容】
【０００９】
本発明の他の観点によれば、制御信号に対応した周波数となるように出力信号の周波数を制御する発振器と、
前記発振器の出力信号により駆動されるスイッチング部と、前記スイッチング部により駆動されることにより電圧を出力する圧電トランスと、
前記圧電トランスから出力される電圧を降下させ、降下した電圧を出力する電圧降下部と、を有することを特徴とする高圧電源装置が提供される。
さらに、本発明の他の観点によれば、周波数信号に対応した電圧を出力する圧電トランスと、
前記周波数信号を発生する発生部と、
前記圧電トランスから出力される最大出力電圧に対応した共振周波数とは異なるスプリアス周波数に対応した出力電圧を低減するように、前記圧電トランスから出力された電圧を降下させて、降下した電圧を出力する電圧降下部と、
を有することを特徴とする高圧電源装置が提供される。
【手続補正４】
【補正対象書類名】明細書
【補正対象項目名】００１０
【補正方法】変更
【補正の内容】
【００１０】
本発明のさらに他の観点によれば、画像を形成する画像形成部を有する画像形成装置において、
前記画像形成部に電圧を供給する高圧電源、を有し
前記高圧電源は、
周波数信号に対応した電圧を出力する圧電トランスと、
前記周波数信号を発生する発生部と、
前記圧電トランスから出力される電圧を降下させ、降下した電圧を出力する電圧降下部と、を有することを特徴とする画像形成装置が提供される。
【手続補正５】
【補正対象書類名】明細書
【補正対象項目名】００１７
【補正方法】変更
【補正の内容】
【００１７】
電圧制御発振器１１０は、入力電圧が上がると出力周波数を上げ、入力電圧が下がると出力周波数は下げるような動作を行う。この条件において、出力電圧Ｅｄｃが上がると、抵抗１０５を介してオペアンプ１０９の非反転入力端子（＋端子）の入力電圧Ｖｓｎｓも上がり、オペアンプ１０９の出力端子の電圧も上がる。つまり、電圧制御発振器１１０の入力電圧が上がるので、圧電トランス１０１の駆動周波数も上がる。共振周波数よりも高い周波数領域において、圧電トランス１０１は、駆動周波数が上がると出力電圧を下げる（図１７、図１８）。すなわち、図１６に示された回路は、負帰還制御回路を構成している。この負帰還制御回路は、圧電トランス１０１から出力される電圧を一定に維持するためのフィードバック制御機構の一例である。
【手続補正６】
【補正対象書類名】明細書
【補正対象項目名】００５３
【補正方法】変更
【補正の内容】
【００５３】
破線２３１１は、Ｉ−Ｖ特性のばらつきが上限で、かつ、定電圧素子の整流回路側からフィードバックが適用されたときの特性を示している。破線２３１２は、Ｉ−Ｖ特性のばらつきが平均的で、かつ、定電圧素子の負荷側の電圧をフィードバックしたときの特性を示している。なお、Ｉ−Ｖ特性のばらつきが平均的で、かつ、定電圧素子の整流回路側の電圧をフィードバックしたときの特性は、破線２３１２と重なっている。破線２３１３は、Ｉ−Ｖ特性のばらつきが下限で、かつ、定電圧素子の整流回路側の電圧をフィードバックしたときの特性を示している。
【手続補正７】
【補正対象書類名】明細書
【補正対象項目名】００５５
【補正方法】変更
【補正の内容】
【００５５】
これに対して、定電圧素子の負荷側の電圧をフィードバックすると、バリスタの特性ばらつきに影響を受けにくくなり、出力電圧Ｅｄｃ１１を安定して制御することができる（破線２３１２）。なお、定電圧素子としてツェナーダイオードを用いる場合、バリスタに比べると電圧は安定するであろう。しかし、ツェナーダイオードでも、負荷電流や温度に依存し、ツェナー電圧は変動しうる。